(57)【要約】【課題】土砂の搬送時に、鋼矢板の窪みに溜まった土砂等を効率的に掻き出すことのできる、簡易構造のバケット用アタッチメント及びバケット用アタッチメントの使用方法を提供する。【解決手段】少なくとも掻き出し部と、取り付け部と、を具備する油圧ショベルのバケットに対して着脱させるバケット用アタッチメント及びバケット用アタッチメントの使用方法であって、取り付け部が、バケット用アタッチメントを、バケットの先端部に固定する固定部材を有しており、当該固定部材を介して、掻き出し部が、バケットから、進行方向に沿って前方に突き出すよう固定され、かつ、掻き出し部の幅をＷ１（ｍｍ）、バケットの幅をＷ２（ｍｍ）とした場合に、下記関係式（１）を満足する。Ｗ１＜Ｗ２        （１）【選択図】図１
2020002639.tif 000002
【特許請求の範囲】
【請求項１】
少なくとも掻き出し部と、取り付け部と、を具備する油圧ショベルのバケットに対して着脱させるバケット用アタッチメントであって、
前記取り付け部が、前記バケット用アタッチメントを、前記バケットの先端部に固定する固定部材を有しており、当該固定部材を介して、前記掻き出し部が、前記バケットの進行方向に沿って前方に突き出すよう固定され、かつ、
前記掻き出し部の幅をＷ１（ｍｍ）、前記バケットの幅をＷ２（ｍｍ）とした場合に、下記関係式（１）を満足することを特徴とするバケット用アタッチメント。
Ｗ１＜Ｗ２        （１）
【請求項２】
前記掻き出し部の幅（Ｗ１）を５０〜３００ｍｍの範囲内の値とすることを特徴する請求項１に記載のバケット用アタッチメント。
【請求項３】
前記バケットの幅（Ｗ２）を４００〜２０００ｍｍの範囲内の値とすることを特徴する請求項１又は２に記載のバケット用アタッチメント。
【請求項４】
前記掻き出し部の長さ（Ｌ１）を２００〜７００ｍｍの範囲内の値とすることを特徴とする請求項１〜３のいずれか一項に記載のバケット用アタッチメント。
【請求項５】
前記掻き出し部に、当該掻き出し部の長さ（Ｌ１）よりも長い、長さ（Ｌ２）を有するストッパーが設けてあることを特徴とする請求項１〜４のいずれか一項に記載のバケット用アタッチメント。
【請求項６】
前記取り付け部の固定部材が、屈曲部を有する圧着棒部材、屈曲部を有する圧着板部材、土台及びＵ字部材を含み、当該土台及びＵ字部材を前記バケットに固定するためのねじ部材をさらに含む構成の少なくとも一つであることを特徴とする請求項１〜５のいずれか一項に記載のバケット用アタッチメント。
【請求項７】
少なくとも掻き出し部と、取り付け部と、を具備する油圧ショベルのバケットに対して着脱させる、下記工程（ａ）〜（ｃ）を含むバケット用アタッチメントの使用方法であって、
前記取り付け部が、前記バケット用アタッチメントを、前記バケットの先端部に固定する固定部材を有しており、当該固定部材を介して、前記掻き出し部が、前記バケットから、進行方向に沿って前方に突き出すよう固定され、かつ、
前記掻き出し部の幅をＷ１（ｍｍ）、前記バケットの幅をＷ２（ｍｍ）とした場合に、下記関係式（１）を満足することを特徴とするバケット用アタッチメントの使用方法。
Ｗ１＜Ｗ２        （１）
（ａ）前記バケット用アタッチメントの取り付け対象である、前記油圧ショベルのバケットを準備する工程
（ｂ）前記バケット用アタッチメントを、前記取り付け部により、前記油圧ショベルのバケット先端部に固定する工程
（ｃ）前記油圧ショベルを動作させ、前記バケット用アタッチメントで、対象物を掻き出す工程
【請求項８】
前記工程（ｃ）における対象物が、鋼矢板の壁面の窪みに溜まった土砂、又は降雪地における雪であることを特徴とする請求項７に記載のバケット用アタッチメントの使用方法。
【発明の詳細な説明】
【技術分野】
【０００１】
本発明は、油圧ショベルに用いられるバケット用アタッチメント、及び、そのようなバケット用アタッチメントの使用方法に関する。
特に、簡易構造であって、鋼矢板で形成された壁面の窪みに溜まった土砂等を効率的に掻き出すことに適した、油圧ショベルのバケット用アタッチメント、及び、そのような油圧ショベルのバケット用アタッチメントの使用方法に関する。
【背景技術】
【０００２】
従来、工事現場や降雪地では、様々なタイプの油圧ショベルが運用されている。
かかる油圧ショベルは、アームの先端に、土砂や雪を収容するためのバケットを取り付けることを標準としているが、用途に応じて様々な作業装置に付け替えることが可能である。
【０００３】
ここで、油圧ショベル用の作業装置は多様に存在するが、アームの動きとしては、基本的に、前後左右方向及び回転移動のみであるとともに、アームの先端に取り付けるバケットでも、その横幅は少なくとも５００ｍｍ程度となり、相当な重量である。
そのため、バケットの動作が制限されることから、鋼矢板により形成される壁面の窪み等、油圧ショベルでの作業に適さない箇所が存在する。
したがって、鋼矢板の壁面の窪みが狭小場所に溜まった土砂等の除去（掻取り）は、基本的に、作業者によるスコップ等を用いた人的作業によって行われている。
しかしながら、鋼矢板の壁面の窪みに溜まる土砂等は、数メートルの高さにも及ぶ場合が多く、これらの土砂等の除去作業を手作業で行うことは、きわめて過酷かつ非効率であった。
【０００４】
そこで、油圧ショベル系掘削機に着脱自在に装着でき、駆動装置付きアタッチメント部材と一体に設け、しかも、場所を占めずに狭い処でも、丸形の穴堀、曲がりのある溝掘削、周辺からの植木の根切り等ができ、アタッチメント部材を取り替えることによって，油圧ショベル系掘削機の移動をせずに様々な作業が可能となる油圧ショベル及びそのバケット用アタッチメントの駆動装置が提案されている（特許文献１参照）。
【０００５】
より具体的には、油圧ショベル系掘削機において、アームの先端部に掘削用駆動シリンダと、回動用駆動シリンダとを並設し、該掘削用駆動シリンダのチューブの頭部に同心円状に軸着されたロッドを設け、該ロッドにはギアを設け、該ギアと隣接する回動用駆動シリンダのピストンロッドに軸着したドライブギアとを噛み合わせて連動し、該回動用駆動シリンダのピストンロッドの中途には、回転防止機構を設け、かつ、ピストンロッド先端付近には回転螺旋スプラインを穿設し、ピストンの上下運動を回転運動に変えることを特徴とする油圧ショベルにおけるアタッチメントの駆動装置である。
【先行技術文献】
【特許文献】
【０００６】
【特許文献１】特許第２９４６０４０号公報（特許請求の範囲）
【発明の概要】
【発明が解決しようとする課題】
【０００７】
しかしながら、特許文献１に記載のアタッチメントの駆動装置は、油圧ショベル系掘削機において、アームの先端部に、掘削アタッチメント部材と、該部材の掘削用駆動シリンダと、該駆動シリンダと掘削アタッチメント部材とを回動させるための回動用駆動シリンダからなるアタッチメントを、一体に設ける必要があった。
したがって、このような一体的なアタッチメントは、構造上、サイズや重量が過度に大きくなって、油圧ショベル系掘削機への負荷が大きくなるとともに、油圧ショベル系掘削機の寿命を低下させるという問題があった。
また、一体的なアタッチメントの着脱のために、所定の着脱装置を用いたとしても、構成上、その着脱が極めて困難であって、かつ、交換時間がかかり、その上、コストが高くなって、経済的に不利になるという問題が見られた。
さらに言えば、アタッチメントの幅を全く考慮しておらず、一体的なアタッチメントをバケットに対して取り付けるため、バケット幅よりも狭小な空間での作業に適さないという問題も見られた。
【０００８】
そこで、本発明の発明者は鋭意検討した結果、油圧ショベルのバケット用アタッチメントとして、掻き出し部の幅（Ｗ１）と、バケットの幅（Ｗ２）を考慮した簡易構造とするだけで、着脱が容易かつ迅速でありながら、鋼矢板で形成された壁面の窪みなどの狭小な空間に溜まった土砂等を掻き出す作業が、迅速かつ効率的にできることを見出し、本発明を完成させたものである。
【０００９】
すなわち、本発明の目的は、簡易構造であって、油圧ショベルのバケットの所定場所への着脱が容易であり、さらには狭小な空間に溜まった土砂等を掻き出す作業を、迅速かつ効率的に行うことができるバケット用アタッチメント、及びそのようなバケット用アタッチメントの使用方法を提供することである。
【課題を解決するための手段】
【００１０】
本発明によれば、少なくとも掻き出し部と、取り付け部と、を具備する油圧ショベルのバケットに対して着脱させるバケット用アタッチメントであって、取り付け部が、バケット用アタッチメントを、バケットの先端部に固定する固定部材を有しており、当該固定部材を介して、掻き出し部が、バケットから、進行方向に沿って前方に突き出すよう固定され、かつ、掻き出し部の幅をＷ１（ｍｍ）、バケットの幅をＷ２（ｍｍ）とした場合に、下記関係式（１）を満足することを特徴とするバケット用アタッチメントが提供され、上述した問題点を解決することができる。
Ｗ１＜Ｗ２        （１）
すなわち、本発明の油圧ショベルのバケット用アタッチメントであれば、所定の掻き出し部と、取り付け部とから構成することにより、きわめて簡易構造かつ経済的である。
また、小型かつ軽量な上に、所定の取り付け部が設けてあることによって、バケットへの着脱を容易なものとし、例えば、作業者が油圧ショベルに乗ったまま、片手であってもバケット用アタッチメントを、バケットの所定場所に取り付けることが可能である。
さらに、掻き出し部の幅（Ｗ１）と、バケットの幅（Ｗ２）を考慮して、バケット用アタッチメントを構成していることから、狭小な空間に溜まった土砂等の対象物であっても、バケットの損傷を防止しつつ、迅速かつ効率的に掻き出すことができる。
【００１１】
本発明のバケット用アタッチメントを構成するにあたり、掻き出し部の幅（Ｗ１）を５０〜３００ｍｍの範囲内の値とすることが好ましい。
このように掻き出し部の幅（Ｗ１）を制限することによって、バケット用アタッチメントの大きさや重量と、所定の狭小な空間における使用性と、対象物としての土砂等の除去作業の効率性と、の間バランスをさらに良好なものとすることができる。
【００１２】
本発明のバケット用アタッチメントを構成するにあたり、バケットの幅（Ｗ２）を４００〜２０００ｍｍの範囲内の値とすることが好ましい。
このようにバケットの幅（Ｗ２）を制限することによって、油圧ショベルの本来の土木作業（穴堀作業、溝掘削作業、整地作業、植木の根切り作業、雪かき作業等）の作業性と、所定の狭小な空間における使用性と、の間バランスをさらに良好なものとすることができる。
【００１３】
本発明のバケット用アタッチメントを構成するにあたり、掻き出し部の長さ（Ｌ１）を２００〜７００ｍｍの範囲内の値とすることが好ましい。
このように掻き出し部の長さ（Ｌ１）を制限することによって、バケットの衝突防止や接触防止性と、所定の狭小な空間における使用性と、バケット用アタッチメントの大きさや重量と、対象物としての土砂等の除去作業の効率性と、の間バランスをさらに良好なものとすることができる。
【００１４】
本発明のバケット用アタッチメントを構成するにあたり、掻き出し部に、当該掻き出し部の長さ（Ｌ１）よりも長い、長さ（Ｌ２）を有するストッパーが設けてあることが好ましい。
このようにストッパーを具備することによって、バケット用アタッチメント（バケットも含む）の衝突防止や接触防止性と、所定の狭小な空間におけるバケット用アタッチメントの使用性と、対象物としての土砂等の除去作業の効率性と、の間のバランスを良好なものとすることができる。
【００１５】
本発明のバケット用アタッチメントを構成するにあたり、取り付け部の固定部材が、屈曲部を有する圧着棒部材、屈曲部を有する圧着板部材、土台及びＵ字部材を含み、当該土台及びＵ字部材を前記バケットに固定するためのねじ部材をさらに含む構成の少なくとも一つであることが好ましい。
このように取り付け部を構成することによって、バケット用アタッチメントの大きさや重量が調整しやすいとともに、バケットに対するバケット用アタッチメントの固定性が良好になり、着脱自体もさらに容易になるためである。
【００１６】
本発明の別の態様は、少なくとも掻き出し部と、取り付け部と、を具備する油圧ショベルのバケットに対して着脱させる、下記工程（ａ）〜（ｃ）を含むバケット用アタッチメントの使用方法であって、取り付け部が、バケット用アタッチメントを、バケットの先端部に固定する固定部材を有しており、当該固定部材を介して、掻き出し部が、バケットの進行方向に沿って前方に突き出すよう固定され、かつ、掻き出し部の幅をＷ１（ｍｍ）、バケットの幅をＷ２（ｍｍ）とした場合に、下記関係式（１）を満足することを特徴とするバケット用アタッチメントの使用方法である。
Ｗ１＜Ｗ２        （１）
（ａ）バケット用アタッチメントの取り付け対象である、油圧ショベルのバケットを準備する工程
（ｂ）バケット用アタッチメントを、取り付け部の固定部材を介して、油圧ショベルのバケット先端部に固定する工程
（ｃ）油圧ショベルを動作させ、バケット用アタッチメントで、対象物を掻き出す工程
【００１７】
また、本発明のバケット用アタッチメントの使用方法を実施するにあたり、工程（ｃ）における対象物が、鋼矢板の壁面の窪みに溜まった土砂、又は降雪地における雪であることが好ましい。
この理由は、鋼矢板の壁面の窪みが、バケットの幅よりも狭い場合が多く、大きさを調節しやすい、本発明のバケット用アタッチメントであれば、好適に掻き出し作業を行えるためである。
【図面の簡単な説明】
【００１８】
【図１】図１は、本発明のバケット用アタッチメントにおける、掻き出し部及び取り付け部の構成を説明するために供する図である（Ｎｏ.１）。
【図２】図２は、本発明の別なバケット用アタッチメントにおける掻き出し部及び取り付け部の構成を説明するために供する図である（Ｎｏ.２）。
【図３】図３は、本発明のさらに別のバケット用アタッチメントにおける掻き出し部及び取り付け部の構成を説明するために供する図である（Ｎｏ.３）。
【図４】図４は、本発明のバケット用アタッチメントにおける、バケットに対する取り付け方を説明するために供する図である。
【図５】図５は、本発明のバケット用アタッチメントの使用方法を説明するために供する図である。
【図６】図６は、本発明のバケット用アタッチメントの使用方法を説明するために供するフロー図である。
【図７】図７は、実施例１で使用したバケット用アタッチメントの全体図（写真）である。
【図８】図８は、実施例２で使用したバケット用アタッチメントの全体図（写真）である。
【発明を実施するための形態】
【００１９】
[第１の実施形態]
第１の実施形態は、図１に例示するように、少なくとも掻き出し部１０と、取り付け部１１と、を具備する油圧ショベルのバケットに対して着脱させるバケット用アタッチメント１であって、取り付け部１１が、バケット用アタッチメント１を、バケットの先端部に固定する固定部材１２、１３、１４を有しており、当該固定部材１２、１３、１４を介して、掻き出し部１０が、バケットの進行方向に沿って前方に突き出すよう固定され、かつ、掻き出し部１０の幅をＷ１（ｍｍ）、バケットの幅をＷ２（ｍｍ）とした場合に、下記関係式（１）を満足することを特徴とするバケット用アタッチメント１である。
Ｗ１＜Ｗ２        （１）
【００２０】
以下、第１の実施形態のバケット用アタッチメントについて、図１〜図３等の図面を適宜参照して、具体的に説明する。
なお、図１は、バケット用アタッチメントにおける掻き出し部がスコップ状であって、かつ、取り付け部がネジ固定式の構成である。
また、図２は、バケット用アタッチメントにおける掻き出し部がスコップ状であって、かつ、取り付け部が屈曲部を有する金属棒の構成である。
さらに、図３は、バケット用アタッチメントにおける掻き出し部が櫛形形状（フォーク状）であって、かつ、取り付け部がネジ固定式の構成である。
【００２１】
１．掻き出し部
（１）基本構成
図１に示すように、本発明の油圧ショベルのバケット用アタッチメント１は、基本構成として、バケット１５の先端部に取り付けられて、対象物としての土砂等を除去するための掻き出し部１０を有することを特徴とする。
そして、掻き出し部１０は、油圧ショベルのバケット１５から、油圧ショベルのバケットの進行方向に沿って、前方に突き出すよう固定されている。
これは、掻き出し部１０の固定方向を所定の向きとすることで、バケット用アタッチメント１の向きが装着先であるバケット１５と、事実上、同一になることから、ショベル先端部として操作しやすくなるためである。
【００２２】
（２）掻き出し部の幅（Ｗ１）
また、図１〜図３に示すように、掻き出し部１０の幅（Ｗ１）を５０〜３００ｍｍの範囲内の値とすることが好ましい。
この理由は、このように掻き出し部１０の幅を制限することによって、バケット用アタッチメント１の大きさや重量と、所定の狭小な空間における使用性と、対象物としての土砂等の除去作業の効率性と、の間バランスを良好なものとすることができるためである。
すなわち、掻き出し部１０の幅（Ｗ１）が５０ｍｍ未満の値になると、狭小な空間に溜まった土砂等の除去効率が著しく低下する場合があるためである。
一方、掻き出し部１０の幅（Ｗ１）が３００ｍｍを超えた値になると、狭小な空間に、バケット用アタッチメント１を挿入することが困難になる場合があるためである。
したがって、掻き出し部１０の幅（Ｗ１）を８０〜２５０ｍｍの範囲内の値とすることがより好ましく、１００〜２００ｍｍの範囲内の値とすることがさらに好ましい。
【００２３】
（３）バケットの幅（Ｗ２）との関係
図１〜３に示す掻き出し部１０の幅をＷ１（ｍｍ）、図４に示すようにバケットの幅をＷ２（ｍｍ）とした場合に、関係式（１）を満足することを特徴とする。
Ｗ１＜Ｗ２        （１）
すなわち、掻き出し部１０の幅（Ｗ１）と、バケットの幅（Ｗ２）を考慮して、バケット用アタッチメント１を構成していることから、狭小な空間に溜まった土砂等の対象物であっても、バケットの損傷を防止しつつ、迅速かつ効率的に掻き出すことができる。
【００２４】
なお、上述した関係式（１）を満足するにあたり、バケットの幅（Ｗ２）を４００〜２０００ｍｍの範囲内の値とすることが好ましい。
この理由は、このように制限することによって、油圧ショベルの本来の土木作業（穴堀作業、溝掘削作業、整地作業、植木の根切り作業、雪かき作業等）の作業性と、所定の狭小な空間における使用性と、の間のバランスをさらに良好なものとすることができるためである。
【００２５】
（４）掻き出し部の長さ（Ｌ１）
また、図１〜図３に示す掻き出し部１０の長さ（Ｌ１）としては、過度に短くなると、効果的に掻き出し作業を行うことができない場合が生じ、逆に、過度に長くなると、使用性が低下し、作業者に対して、より高精度な操縦技能が求められることとなる。
すなわち、掻き出し部１０の長さ（Ｌ１）を調整することにより、バケットの衝突防止や接触防止性と、所定の狭小な空間における使用性と、バケット用アタッチメント１の大きさや重量と、対象物としての土砂等の除去作業の効率性と、の間バランスをさらに良好なものとすることができる。
したがって、より具体的には、掻き出し部１０の長さ（Ｌ１）を２００〜７００ｍｍの範囲内の値とすることが好ましく、２５０〜６５０ｍｍの範囲内の値とすることがより好ましく、３００〜６００ｍｍの範囲内の値とすることがさらに好ましい。
【００２６】
（５）掻き出し部の平面形状
また、図１〜図３に示す掻き出し部１０の平面形状としては、特に制限されるものではないが、例えば、スコップ形状、扇型形状、櫛形形状（フォーク形状）、円錐形状、多角形状、楕円形状等のいずれか一方であることが好ましい。
この理由は、このような平面形状とすることにより、掻き出し対象と壁面や床面の間の隙間に、バケット用アタッチメント１を差し込むことが容易となり、さらに効率よく作業を行えるためである。
なお、掻き出し部１０の平面形状が、スコップ状や櫛形状であれば、バケット用アタッチメント１を差し込むことがさらに容易となり、効率よく作業を行えることから、より好適である。
【００２７】
（６）掻き出し部の組み合わせ
また、図５に示す作業領域の幅（Ｗ３）や、所定の狭小な空間における使用性等に応じて、掻き出し部１０の幅（Ｗ１）が異なる複数のバケット用アタッチメントを、作業ごとに使い分けることも好ましい。
より具体的には、作業領域の幅（Ｗ３）が３００ｍｍ以上であった場合は、掻き出し部１０の幅（Ｗ１）が２５０〜２９０ｍｍのバケット用アタッチメント１、作業領域の幅（Ｗ３）が２００〜２５０ｍｍであった場合は、掻き出し部１０の幅（Ｗ１）が１５０〜１９０ｍｍのバケット用アタッチメント１を使用するのが好ましい。
【００２８】
（７）掻き出し部の構成材料
図１〜図３に示す掻き出し部１０の構成材料としては、作業に応じた強度を保てるものであれば、特に限定されるものではない。
そのため、雪の掻き出し作業など、作業に必要な強度が低い場合などは、コスト削減の観点から、安価な樹脂素材を用いるのが好ましい。
したがって、掻き出し対象を問わず使用でき、かつ比較的安価であることから、炭素鋼、鉄、ニッケル、銅、アルミニウム、ステンレス、セラミックなどの少なくとも一種を用いることがより好ましい。
【００２９】
（８）掻き出し部の厚さ
図１及び図２に示す掻き出し部１０の厚さ（ｔ１）としては、構成材料の種類を踏まえた上で、作業に応じた強度を保てるものであり、かつ、掻き出しの対象物に挿し込む事のできる厚みであれば、特に限定されるものではない。
より具体的には、掻き出し部１０の厚さ（ｔ１）を１〜２５ｍｍの範囲内の値とすることが好ましく、１．５〜１０ｍｍの範囲内の値とすることがより好ましく、２〜５ｍｍの範囲内の値とすることがさらに好ましい。
【００３０】
２．ストッパー
（１）基本構成
図１に示すように、掻き出し部１０の根元部分には、当該掻き出し部１０が作業対象の空間に深く入りすぎることを防止するために、ストッパー１６が設置されることが好ましい。
これは、バケット用アタッチメント１やバケット１５が壁面などに衝突し、傷や騒音が発生するのを事前に防ぐためである。
【００３１】
（２）構成材料
また、ストッパー１６の構成材料としては、バケット用アタッチメント１やバケット１５が壁面などに衝突した際の衝撃を軽減するのに、適度な緩衝性を持つものであれば特に限定されないが、例えば、ゴム類、合成樹脂、天然樹脂、セラミック、木材などが上げられる。
また、ＣＣＤカメラや距離センサーを設けて、バケット用アタッチメント１やバケット１５と、壁面との距離を測定し、それが所定値以内となった場合に、警報を発する機構を、ストッパーとして設けてもよい。
【００３２】
（３）幅
ストッパー１６の幅（Ｗ４）は、バケット用アタッチメント１の掻き出し部１０´が、作業対象の空間に深く入りすぎることを防止するために、作業領域の幅（Ｗ３）との関係性において、下記関係式（２）を満足することが好ましい。
Ｗ３＜Ｗ４        （２）
【００３３】
より具体的には、ストッパー１６の幅（Ｗ４）は、５００〜７００ｍｍの範囲内の値とすることが好ましい。
これは、ストッパー１６の幅（Ｗ４）が小さすぎる場合、バケット用アタッチメント１やバケット１５が周囲に衝突するのを防ぐことができず、ストッパー１６の幅（Ｗ４）が大きすぎる場合、バケット用アタッチメント１の重量が増大し、安定性が損なわれる場合があるためである。
したがって、ストッパー１６の幅（Ｗ４）を４７０〜６７０ｍｍの範囲内の値とすることがより好ましく、４５０〜６５０ｍｍの範囲内の値とすることがさらに好ましい。
【００３４】
３．取り付け部
（１）基本構成
図１〜図３に示すように、バケット用アタッチメント１は、基本構成として、当該バケット用アタッチメント１を油圧ショベルのバケット１５の先端部に固定するために、取り付け部１１、１１´を有することを特徴とする。
すなわち、取り付け部１１、１１´の固定部材が、屈曲部を有する圧着棒部材、屈曲部を有する圧着板部材、土台及びＵ字部材を含み、当該土台及びＵ字部材を前記バケットに固定するためのねじ部材をさらに含む構成の少なくとも一つであることが好ましい。
【００３５】
（１）−１  ねじ止め構成
図１に示すように、バケット用アタッチメント１の取り付け部１１は、土台１２とＵ字部材１３と、Ｕ字部材１３の先端から当該土台１２に向かって垂直に進む、ねじ先が平らなねじ１４とを備える構成であってもよい。
すなわち、このように土台及びＵ字部材を含み、当該土台及びＵ字部材をバケットに固定するためのねじ部材をさらに含む構成であれば、バケットの先端部に対して、より強固に固定することができる。
したがって、このような構成であれば、自動ねじ締め機等を用いることでバケット１５へのバケット用アタッチメント１の取り付けが非常に容易かつ迅速となり、バケット１５とバケット用アタッチメント１の間をさらに強固に保つことができる。
また、自動ねじ締め機等を用いることにより、バケット１５へのバケット用アタッチメント１の取り外しについても、非常に容易かつ迅速となる。
【００３６】
（１）−２  圧着構造
また、図２に示すように、バケット用アタッチメントの取り付け部１１´は、屈曲部１１ｃ、１１ｄを備える圧着部材１１ａ、１１ｂからなる圧着構構造であることが好ましい。
より具体的には、かかる取り付け部１１´は、１２０〜１８０°の範囲で折り曲げてなる、金属製の屈曲部１１ｃ、１１ｄを備え、その間に、バケットの先端部を挟みこみ、圧接構造とすることが好ましい。
すなわち、このように圧着構造とすることにより、バケット１５へのバケット用アタッチメント１の着脱を、非常に容易かつ迅速なものとすることができる。
【００３７】
なお、図１に示す圧着部材１１ａ、１１ｂは、２本の棒状部材として記載されているが、取り付けが容易でありつつ、取り付け時の安定性が保たれるのであれば、３本以上の棒状部材や、屈曲部を備える板状部材で構成されていてもよい。
【００３８】
（２）構成材料
取り付け部１１、１１´として用いられる構成材料は、所定の形状を保ち、バケット用アタッチメント１を固定するために、適度な強度を備えた金属等であれば特に限定されないが、例えば、炭素鋼、鉄、ニッケル、銅、アルミニウム、ステンレス、セラミックなどの少なくとも一種が挙げられる。
【００３９】
（３）接合工程
取り付け部１１、１１´と掻き出し部１０との接合においては、接合部の強度が好適に保たれ、かつ、それぞれの材質に応じた接合方法であれば、特に限定されるものではない。
そのため、掻き出し部１０が樹脂素材であった場合は、接着剤による化学的接合、掻き出し部１０´と取り付け部１１、１１´とが金属素材であった場合、溶接やねじ固定などを用いるのが好ましい。
【００４０】
なお、ストッパーは、取り付け部１１、１１´と掻き出し部１０との接合後、掻き出し部１０の先端から挿し込む形で設置されるのが好ましい。
【００４１】
［第２の実施形態］
第２の実施形態は、少なくとも掻き出し部と、取り付け部と、を具備する油圧ショベルのバケットに対して着脱させる、下記工程（ａ）〜（ｃ）を含むバケット用アタッチメントの使用方法であって、取り付け部が、バケット用アタッチメントを、バケットの先端部に固定する固定部材を有しており、当該固定部材を介して、掻き出し部が、バケットの進行方向に沿って前方に突き出すよう固定され、かつ、掻き出し部の幅をＷ１（ｍｍ）、バケットの幅をＷ２（ｍｍ）とした場合に、下記関係式（１）を満足することを特徴とするバケット用アタッチメントの使用方法である。
Ｗ１＜Ｗ２        （１）
（ａ）バケット用アタッチメントの取り付け対象である、油圧ショベルのバケットを準備する工程
（ｂ）バケット用アタッチメントを、取り付け部の固定部材を介して、油圧ショベルのバケット先端部に固定する工程
（ｃ）油圧ショベルを動作させ、バケット用アタッチメントで、対象物を掻き出す工程
以下、第２の実施形態の特有の構成について、図４〜図６等を適宜参照しながら具体的に説明する。
【００４２】
１．前工程（Ｓ１）
図６の記号Ｓ１で示されるように、バケット用アタッチメントを装着する前工程として、バケット付き油圧シャベルを用いて、通常作業を行うことが好ましい。
例えば、図５に示される作業領域において、作業領域に溜まった対象物としての土砂や雪等を整地し、平坦化することが好ましい。
【００４３】
２．バケット付き油圧シャベルの準備（Ｓ２）
図６の記号Ｓ１で示されるように、図４及び図５に示す作業装置としてのバケット１５が装着されてなる油圧ショベルを準備する工程である。
かかるＳ１の工程が、上述した（ａ）バケット用アタッチメントの取り付け対象である、油圧ショベルのバケットを準備する工程に相当する。
なお、油圧ショベルと同義であるが、かかる油圧ショベルの中に、ユンボやバックフォー等も含めることができる。
【００４４】
３．バケット用アタッチメントの取り付け（Ｓ３）
図６の記号Ｓ３で示されるように、バケット１５の所定位置に、バケット用アタッチメントを取り付ける工程である。
すなわち、かかるＳ３の工程が、上述した工程（ｂ）に相当するが、例えば、図４の油圧ショベルのバケット１５と、バケット用アタッチメント１の構成に示すように、ねじ止め構成からなる取り付け部１１´を用いて、準備した油圧ショベル用のバケット１５の先端をねじ１４と土台１２とで挟み込み、バケット用アタッチメント１を固定する工程である。
【００４５】
ここで、バケット用アタッチメント１を設置する位置は、バケット１５の先端の中央とすることが基本となるが、操縦者の技量に応じて、左端部や右端部など作業を行いやすい任意の位置へ設置されることが好ましい。
また、作業の種類や作業領域の大きさ等にもよるが、バケット用アタッチメント１を複数用意して、バケット１５の先端の中央部はもちろん、左端部や、右端部にもバケット用アタッチメント１をそれぞれ取り付けて、複数のバケット用アタッチメント１を用いて、同時に所定作業を行うことも好ましい。
【００４６】
また、バケット用アタッチメント１の固定を、圧着構成からなる取り付け部１１´を用いて行う場合、屈曲部１１ｃ、１１ｄを備える圧着部材１１ａ、１１ｂで、準備した油圧ショベル用のバケット１５の先端挟み込んで圧着することが好ましい。
この場合も、バケット用アタッチメント１を固定する位置は、バケット１５の先端の中央であることが基本であり、操縦者の技量に応じて、左端部や右端部など作業を行いやすい任意の位置へ設置されることが好ましい。
【００４７】
４．バケット用アタッチメントによる掻き出し（Ｓ４）
図６の記号Ｓ４で示されるように、バケット用アタッチメントを取り付けたバケットを含む油圧ショベルを動作させ、バケット用アタッチメントによる対象物の掻き出し作業を行う工程である。
すなわち、かかるＳ４の工程が、上述した工程（ｃ）に相当するが、例えば、図５に示すように、バケット用アタッチメント１を取り付けた状態で、油圧ショベルを稼働させ、作業領域に溜まった対象物としての土砂や雪等を掻き出す工程である。
【００４８】
ここで、Ｓ４において、対象物を掻き出すにあたっては、通常、図５に示すように、上部から下部に向かって油圧ショベルを稼働させるのが好ましい。
これは、作業領域が工事現場の鋼矢板であった場合、鋼矢板により形成される壁面に堆積する土砂は、２ｍ近い高さになる可能性が高く、下部から作業を行うとすると、対象物の重量に耐えられず、バケット用アタッチメント１が破損する可能性があるためである。
【００４９】
５．バケット用アタッチメントの脱離（Ｓ５）
図６の記号Ｓ５で示されるように、バケット用アタッチメント１を用いてなる作業が終了したのち、油圧ショベルの本来の作業、すなわち、整地作業等ができるように、バケット用アタッチメント１を取り外すことが好ましい。
その場合でも、本発明のバケット用アタッチメント１は、取り付け部１１が圧着構成であっても、ねじ止め構成であっても、基本的に圧接して取り付けてあることから、作業者が、油圧ショベルの座席に座ったまま、それらのバケット用アタッチメント１を取り外すことができるという利点がある。
【実施例】
【００５０】
以下、実施例を参照して、本発明をさらに詳細に説明する。但し、特に理由なく、本発明の範囲は、実施例の記載によって制限されるものではない。
【００５１】
［実施例１］
１．油圧ショベルのバケット用アタッチメントの製造
（１）掻き出し部の形成
掻き出し部として、スコップ形状に加工された湾曲した鉄板（厚さ：８ｍｍ）を用意した。また、掻き出し部の長さ（Ｌ１）は、２００ｍｍ、幅は１５０ｍｍであった。
【００５２】
（２）取り付け部の形成
取り付け部として、アルミニウム合金を用意し、機械加工にて、それぞれ直径が１０ｍｍである２本の棒状部材（滑り止めの凹凸ライン付き）を形成した。
次いで、棒状部材を１７０°に折り曲げ変形させ、油圧ショベルのバケットを屈曲部に挟み込んで、圧着できるよう形成した。
【００５３】
（３）接合工程
形成した掻き出し部と、取り付け部とを溶接により接合し、図７に示すように、油圧ショベルのバケット用アタッチメントとした。
【００５４】
２．油圧ショベルの準備
取り付け対象である油圧ショベルとして、バケットの幅（Ｗ２）が５５０ｍｍの油圧ショベル（日立建機日本（株）製、ＺＸ７５ＵＳ５Ｂ）を用意し、バケットの縁の中央付近に、図７に示すバケット用アタッチメントを取り付けた。
【００５５】
３．作業領域の準備
作業領域として奥行き１２５ｍｍ、幅６００ｍｍの凹面を持つ鋼矢板（ジェコス（株）製、サイズＳＰ−３）を用いて壁を構成し、壁面に向けて高さ１５００ｍｍの土砂を堆積した。
【００５６】
４．評価
（１）作業性
作業領域である鋼矢板の凹部分に溜まった土砂を、用意した油圧ショベルのバケット用アタッチメントで掻き出した後、下記基準に沿って、４段階で作業性を評価した。得られた結果を表１に示す。
◎：完全に土砂を掻き出せており、壁面の傷は一切確認できない。
○：ほぼ完全に土砂を掻き出せているが、壁面の一部に傷が見られた。
△：ある程度の土砂を掻き出すことができたが、壁面に少々の傷が見られた。
×：土砂の掻き出しが不十分であったか、壁面に顕著な傷が見られた。
【００５７】
（２）作業時間
鋼矢板（高さ：１０ｍ、幅：３０ｃｍ、窪み：５０ｍｍ）の一つの窪みにおいて、溜まった土砂（高さ２ｍ）を掻き出すのに要した時間を測定し、下記基準に沿って、４段階で作業時間を評価した。得られた結果を表１に示す。
◎：掻き出しに要した時間は１０秒未満であった。
○：掻き出しに要した時間は１０秒以上、１００秒未満であった。
△：掻き出しに要した時間は１００秒以上、１８０秒未満であった。
×：掻き出しに要した時間は１８０秒以上であった。
【００５８】
（３）取り付け性
用意した油圧ショベルのバケットに、バケット用アタッチメントを取り付ける際の取り付け性を、下記基準に沿って、４段階で取り付け性を評価した。得られた結果を表１に示す。
◎：一人で運転席に居ながら、１０秒以内に取り付けることができた。
○：一人で運転席に居ながら、３０秒以内に取り付けることができた。
△：一人で運転席に居ながら、９０秒以内に取り付けることができた。
×：一人で運転席に居ながら、９０秒以内に取り付けることができなかった。
【００５９】
［実施例２］
実施例２では掻き出し部の長さ（Ｌ１）を２００ｍｍ、幅（Ｗ１）を１００ｍｍとし、取り付け部を、土台とＵ字部材と、Ｕ字部材の先端から当該土台に向かって、垂直方向に進む、ねじ先が平坦な六角ねじとを備える構成としたほかは、実施例１と同様に、図８に示すようなバケット用アタッチメントを製造し、評価した。得られた結果を表１に示す。
【００６０】
［実施例３］
実施例３では掻き出し部の長さ（Ｌ１）を２００ｍｍ、幅（Ｗ１）を２５０ｍｍとし、取り付け部を、図８に示すような土台とＵ字部材と、Ｕ字部材の先端から当該土台に向かって、垂直方向に進む、ねじ先が平坦な六角ねじと、を備える構成としたほかは、実施例１と同様に、バケット用アタッチメントを製造し、評価した。得られた結果を表１に示す。
【００６１】
［実施例４］
実施例４では掻き出し部の形状において、長さ（Ｌ１）を２００ｍｍ、幅（Ｗ１）を５０ｍｍの櫛型（直径：１０ｍｍ／本）に加工し、かつ、取り付け部を、土台とＵ字部材と、Ｕ字部材の先端から当該土台に向かって、垂直方向に進む、ねじ先が平坦な六角ねじとを備える構成としたほかは、実施例１と同様にバケット用アタッチメントを製造し、評価した。得られた結果を表１に示す。
【００６２】
［比較例１］
比較例１では、油圧ショベルのバケット用アタッチメントを使用せずに、土砂の書き出しを行い、評価した。得られた結果を表１に示す。
【００６３】
【表１】
2020002639.tif 000003
【産業上の利用可能性】
【００６４】
上述したように、本発明によれば、油圧ショベルのバケット用アタッチメントとして、掻き出し部の幅（Ｗ１）と、バケットの幅（Ｗ２）を考慮した簡易構造とするだけで、着脱が容易かつ迅速でありながら、鋼矢板で形成された壁面の窪みなどの狭小な空間に溜まった土砂等を掻き出す作業が、迅速かつ効率的にできるようになった。
【００６５】
したがって、所定の掻き出し部と、取り付け部とから構成することにより、きわめて簡易構造かつ経済的なバケット用アタッチメント及びその使用方法を提供できるようになった。
また、小型かつ軽量な上に、所定の取り付け部が設けてあることによって、バケットへの着脱を容易なものとし、例えば、作業者が油圧ショベルに乗ったまま、片手であってもバケット用アタッチメントを、バケットの所定場所に取り付けることも可能となった。
さらに、掻き出し部の幅（Ｗ１）と、バケットの幅（Ｗ２）を考慮して、バケット用アタッチメントを構成していることから、狭小な空間に溜まった土砂等の対象物であっても、バケットの損傷を防止しつつ、迅速かつ効率的に掻き出すことができるようになった。
【００６６】
よって、工事現場等での油圧ショベルによる土木作業（穴堀作業、溝掘削作業、整地作業、植木の根切り作業、雪かき作業等）の作業性と、所定の狭小な空間における使用性との間のバランスをとりながら、従来、手作業で行っていた作業も含めて、油圧ショベルによる作業を拡大させ、著しく作業効率を高めることが期待される。
【符号の説明】
【００６７】
１：バケット用アタッチメント、１０：掻き出し部、１１、１１´：取り付け部、１１ａ、１１ｂ：圧着部材、１１ｃ、１１ｄ、屈曲部、１２：土台、１３：Ｕ字部材、１４：ねじ、１５：バケット、１６：ストッパー、２０：油圧ショベルのアーム
【図１】
2020002639.tif 000004
【図２】
2020002639.tif 000005
【図３】
2020002639.tif 000006
【図４】
2020002639.tif 000007
【図５】
2020002639.tif 000008
【図６】
2020002639.tif 000009
【図７】
2020002639.tif 000010
【図８】
2020002639.tif 000011